(57)【要約】    【課題】  使い勝手が良く、衛生的であり、且つ経済性に優れた袋型オブラート用包装箱を提供する。    【解決手段】  ケース部３の角部にケース部３上縁部と水平な面を有するスタンド部５を設けている。スタンド部５は袋型オブラート１の途中部分と同径なスタンド用孔６を形成しており、ここに袋型オブラート１を差し込んで立たせるようになっている。【選択図】  図１
2004315086.tif 000002
【特許請求の範囲】
【請求項１】
袋型オブラートを収納する袋型オブラート用包装箱において、
前記袋型オブラートを立たせるスタンド部が設けられたことを特徴とする袋型オ
ブラート用包装箱。
【請求項２】
前記スタンド部は前記包装箱のケース部に設けられたことを特徴とする請求項
１に記載の袋型オブラート用包装箱。
【請求項３】
前記スタンド部は前記包装箱の蓋部に設けられたことを特徴とする請求項１又
は２に記載の袋型オブラート用包装箱。
【請求項４】
前記スタンド部は前記包装箱の上面部に設けられ、
前記包装箱内には包装箱内の袋型オブラートを側面から押える仕切り部が設け
られ、
前記仕切り部は前記スタンド部を下方から支持するように配置されたことを特
徴とする請求項１から３のいずれか１項に記載の袋型オブラート用包装箱。
【請求項５】
前記仕切り部は、前記包装箱の向い合う側面部から延ばしたベロ部を前記袋型
オブラートの側面形状に合致するように折り曲げ、前記ベロ部の先端部同士を接
触させることにより構成されたことを特徴とする請求項４に記載の袋型オブラー
ト用包装箱。
【発明の詳細な説明】
【技術分野】
【０００１】
本発明は、薬の飲用補助に使用される袋型オブラートを収納する包装箱に係り
、特に、袋型オブラートを自立させる機能を持たせた袋型オブラート用包装箱に
関するものである。
【背景技術】
【０００２】
オブラートは糊状のでんぷん質を急速乾燥させた植物性の可食フィルムであり
、これに薬を包むことにより薬の味や異物感をマスキングすることができる。ま
た、表面を水に濡らせば、濡れた部分が溶けてでん粉質が糊状に戻るため、ツル
ツルとした食感となりスムーズに飲み込むことができる。しかも、でんぷん質を
アルファ化しているので消化吸収に優れている。このような利点を有するオブラ
ートは、薬の嚥下を助ける嚥下補助剤として広く用いられており、丸型や袋型の
ものが知られている。図１０に示す袋型オブラート１は上部をじょうご状に開口
部とした逆円錐形状をしている。このようなオブラート１は薬をこぼさずに入れ
易く、高い需要を得ている。
【特許文献１】特開２００２−１８７８３５号公報
【発明の開示】
【発明が解決しようとする課題】
【０００３】
しかしながら、袋型オブラート１には次のような問題点があった。すなわち、
袋型オブラート１は通常、包装箱に収納されているが、使用時に１つずつ包装箱
から取り出してから薬を用意しなければならない。この時、袋型オブラート１は
手で持ったままか、あるいはテーブルなどに置いている。しかし、オブラート１
を手に持ったままだと、小袋に包まれた粉薬などを開ける際に、片手がふさがっ
ているので不便である。また、オブラート１をテーブルなどに置くと、そこが濡
れていればオブラート１が溶け出すおそれがある。さらに、オブラート１自体が
非常に軽いので、例えば使用者が動いてわずかでも風が吹けば飛んでしまう。
【０００４】
そこで従来より、図１１及び図１２に示すような袋型オブラート１を立たせる
ための専用スタンド１２が提案されている。この専用スタンド１２は組立式であ
り、不使用時はシート状となって包装箱に収納可能である。
【０００５】
しかし、専用スタンド１２を用いた従来例には次のような問題点がある。まず
、専用スタンド１２を設けた分だけコストの増大を招くことになる。また、オブ
ラート１を使うたびに専用スタンド１２を組み立てるのは面倒であり、使い勝手
が低かった。しかも、専用スタンド１２を組み立てたままだとスペースをとるの
で邪魔になる。また、専用スタンド１２を出し放しにしておけば、汚れが付き易
くなり、衛生的にも問題となっていた。さらには、専用スタンド１２は組立式な
ので強度的に弱い。このため、立たせたオブラート１が不安定な状態になり易く
、かえって薬が入れ難くなるといった不具合が生じた。
【０００６】
本発明は、上記のような従来技術の問題点を解決するために提案されたもので
あり、その目的は、使い勝手が良く、衛生的であり、且つ経済性に優れた袋型オ
ブラート用包装箱を提供することにある。
【課題を解決するための手段】
【０００７】
上記のような目的を達成するため、請求項１の発明は、袋型オブラートを収納
する袋型オブラート用包装箱において、前記袋型オブラートを立たせるスタンド
部が設けられたことを特徴としている。
請求項２の発明は、請求項１に記載の袋型オブラート用包装箱において、前記
スタンド部は前記包装箱のケース部に設けられたことを特徴としている。
請求項３の発明は、請求項１又は２に記載の袋型オブラート用包装箱において
、前記スタンド部は前記包装箱の蓋部に設けられたことを特徴としている。
【０００８】
以上のような構成を有する本発明によれば、包装箱それ自体にスタンド部を設
けたので、専用スタンドを組み立てる手間がかからない。また、スタンド部は包
装箱に一体的なので、包装箱と共に片付けることができ、スペース性が良く、且
つ衛生的である。さらに、専用スタンドを製造しない分、コスト的にも有利であ
る。その上、包装箱の一部をスタンド部としているため、包装箱自体の強度を高
めることでスタンド部の強度を確保することができ、袋型オブラートを安定して
立たせることが可能となる。
【０００９】
また、請求項４の発明は、請求項１から３のいずれか１項に記載の発明におい
て、前記スタンド部は前記包装箱の上面部に設けられ、前記包装箱内には包装箱
内の袋型オブラートを側面から押える仕切り部が設けられ、前記仕切り部は前記
スタンド部を下方から支持するように配置されたことを特徴としている。
【００１０】
以上のような請求項４の発明では、仕切り部が包装箱内のオブラートを側面か
ら押えるので、輸送時に大きな振動が加わったとしてもオブラートが包装箱内で
揺れ動かない。これにより、衝撃に弱いオブラートの破損事故を確実に防ぐこと
ができ、包装箱としての信頼性が大幅に向上する。しかも、前記仕切り部はスタ
ンド部を下方から支持するため、スタンド部の安定性が増す。したがって、スタ
ンド部に立たせたオブラートがぐらつくことがなくなり、オブラートに薬を入れ
易くなる。さらに、仕切り部を設けたことで包装箱内のオブラートがスタンド部
の下方に入り込むことがなくなり、オブラートをスタンド部にスムーズに立たせ
ることが可能である。
【００１１】
請求項５の発明は、請求項４に記載の発明において、前記仕切り部は、前記包
装箱の向い合う側面部から延ばしたベロ部を前記袋型オブラートの側面形状に合
致するように折り曲げ、前記ベロ部の先端部同士を接触させることにより構成さ
れたことを特徴としている。
【００１２】
このような請求項５の発明では、仕切り部を包装箱と一体的に形成することが
できるため、仕切り部を独立して作る場合に比べて製造コストを抑えることがで
き、経済的に有利である。また、側面部から延ばしたベロ部の先端部同士を接触
させているので仕切り部にクッション性を持たせることができる。このため、オ
ブラートへの衝撃を吸収し、オブラートの破損をいっそう確実に防止することが
できる。
【発明の効果】
【００１３】
以上説明したように、本発明の袋型オブラート用包装箱によれば、包装箱自体
に袋型オブラートを立たせるスタンド部を設けるといった極めて簡単な構成によ
り、使い勝手が良くなり、且つ衛生的であり、しかもオブラートの破損事故を防
ぐことが可能であり、経済性・信頼性の向上を図ることができる。
【発明を実施するための最良の形態】
【００１４】
以下、本発明を実施するための最良の形態（以下「実施形態」と呼ぶ）につい
て、図面を参照して具体的に説明する。
【００１５】
(１)第１の実施形態
〔１−１.構成〕
請求項１及び２記載の発明に対応する第１の実施形態について、図１を参照し
て説明する。図１は本実施形態を表す斜視図である。
【００１６】
符号２は包装箱であり、薄い直方体状のケース部３と、これを覆う蓋部４とか
らなる。ケース部３は複数の袋型オブラート１を重ね合わせた状態にして２列収
納するようになっている。より詳しくは、袋型オブラート１の列は細長い円錐形
状となっており、先端部分をつき合わせて列同士の近接する側縁部がケース部３
の対角線上に位置している。また、ケース部３の角部にケース部３上縁部と水平
な面を有するスタンド部５を備えている。スタンド部５は袋型オブラート１の途
中部分と同径なスタンド用孔６を形成しており、ここに袋型オブラート１を差し
込んで立たせるようになっている。
【００１７】
〔１−２.作用効果〕
以上の構成を有する第１の実施形態の作用効果は次の通りである。すなわち、
包装箱２のケース部３にスタンド部５を設けたので、ケース部３から取り出した
袋型オブラート１をスタンド用孔６に差し込んでここに立たせることができる。
したがって、専用スタンド１２を準備する必要がない。これにより、オブラート
１を迅速に使用することができ、使い勝手を高めることができる。また、スタン
ド用孔６は包装箱２のケース部３に一体的なので、蓋部４を閉じてしまえば、露
出することがない。そして、包装箱２と共に片づけることができる。このため、
スタンド部５が出し放しにならずに汚れが付き難くなり、衛生的である。
【００１８】
さらには、専用スタンド１２が不要になるので製造コストを抑えることができ
、経済的に有利である。なお、組立式専用スタンド１２の強度を高くすることは
難しかったが、包装箱２の一部をスタンド部５としている本実施形態では、ケー
ス部３自体の強度を高めることによりスタンド部５の強度を確保可能である。そ
の結果、袋型オブラート１を安定して立たせることができ、薬などを確実に入れ
ることができる。
【００１９】
(２)第２の実施形態
〔２−１.構成〕
次に請求項４及び５記載の発明に対応する第２の実施形態について、図２〜図
５を用いて説明する。図２は本実施形態を表す斜視図、図３は本実施形態の要部
斜視図、図４は同じく平面図、図５は同じく展開図である。
【００２０】
図２に示すように、第２の実施形態は、外箱となる包装箱７と、内箱となるケ
ース部８とからなる。より詳しくは、包装箱７内にケース部８を収納し、これを
水平方向に引き出して開けるキャラメル箱タイプの形状を有している。ケース部
８に収納される袋型オブラート１は、前述した図１のようにオブラート１の先端
部分をつき合わせるのではなく、２列の中心線が平行になるように配置されてい
る。オブラート１は開口部側の方が径が大きいため、先端部同士は離れて配置さ
れることになる。つまり、ケース部８端部の中央にはオブラート１を立てるのに
十分な大きさのスペースを取ることができる。そこでケース部８端部の中央部分
にスタンド部５のスタンド用孔６が配置されるようになっている。
【００２１】
また、図３及び図４に示すようにケース部８内には収納状態のオブラート１を
側面から押える仕切り部１３が設けられている。この仕切り部１３はケース部８
の向い合う側面部から延ばしたベロ部１３ａをオブラート１の側面形状に合わせ
て斜めに折り曲げ、ベロ部１３ａの先端部同士を接触させることにより山形に構
成されている。また、仕切り部１３は、その上縁部がスタンド用孔６の弦となる
ような位置にあり、スタンド部５を下方から支持するようになっている。なお、
図５の展開図から明らかなように、スタンド部５、仕切り部１３はいずれもケー
ス部８と一体的に形成されている。
【００２２】
〔２−２.作用効果〕
包装箱７にオブラート１が詰められて小売店やユーザーに届くまでの間、輸送
や途中の積みおろしによって包装箱７は振動を受けることがある。特に、ケース
部８内部に余裕を持ってオブラート１を詰めた場合、ケース部８の中でオブラー
ト１が大きく揺れ動くことになり、重ねられたオブラート１の底部が破損すると
いった事故が起き易かった。そこで、第２の実施形態では、仕切り部１３により
ケース部８内のオブラート１を側面から押え、包装箱７に振動が加わってもオブ
ラート１がケース部８内で動くことを防止している。これにより、衝撃にデリケ
ートなオブラート１の破損を回避することが可能となり、包装箱７としての信頼
性を高めることができる。
【００２３】
しかも、仕切り部１３はスタンド部５を下方から支持しているので、スタンド
用孔６に立たせた際にオブラート１がぐらつくことがない。したがって、オブラ
ート１を安定して立たせることができ、使用感が向上する。さらに、仕切り部１
３の上縁部がスタンド用孔６の弦となるような位置にあるため、ケース部８に収
納された状態にあるオブラート１がスタンド用孔６の下側に入り込まない。この
ため、オブラート１をスタンド用孔６に差し込むこと時に、その先端が他のオブ
ラート１にぶつかることなく、スムーズに立たせることができる。
【００２４】
また、第２の実施の形態では、スタンド部５だけではなく、仕切り部１３を形
成するベロ部１３ａまでもケース部８と一体的に形成しているので、これらを独
立して作った場合に比べて製造コストの削減に寄与することができる。さらに、
ケース部８側面部から延ばしたベロ部１３ａの先端部同士を接触させているので
仕切り部１３はオブラート１の側面に対してある程度のクッション性を持つこと
ができる。すなわち、仕切り部１３がケース部８に加わる衝撃を吸収でき、包装
箱７に振動が加わったとしてもオブラート１を破損させる心配がない。
【００２５】
(３)他の実施形態
本発明は、上記のような実施形態に限定されるものではなく、袋型オブラート
やスタンド部、スタンド用孔の形状や材質、配置数などは適宜選択可能である。
また、包装箱の形状や材質等も適宜変更可能である。具体的には、図６に示すよ
うに横長の包装箱２としても良い。さらに横長の包装箱２において各列の袋型オ
ブラート１の開口部と先端部とが向かい合うように並べて配置し、包装箱２の手
前側縁部に３つのスタンド部５を設けた実施形態（図７参照）も包含する。
【００２６】
さらに、図８及び図９に示す実施形態は請求項３に対応しており、円筒形状の
包装箱８の蓋部１１上面にスタンド部５を有しており、中央にスタンド用孔６を
形成している。また、包装箱８のケース部１０底部にもスタンド部５を形成して
いる。このような実施形態においては、ケース部１０内及び蓋部１１側の両方に
スタンド部５を設けたので、ケース部１０内の袋型オブラート１を立たせると同
時に、蓋部１１側でさらにもう１つ別のオブラート１を立たせることができる。
このため、薬の量が多くても迅速に２つのオブラート１に入れることができ、使
い勝手がいっそう向上する。
【図面の簡単な説明】
【００２７】
【図１】本発明に係る第１の実施形態を表す斜視図。
【図２】本発明に係る第２の実施形態を表す斜視図。
【図３】本発明に係る第２の実施形態を表す要部斜視図。
【図４】本発明に係る第２の実施形態の要部平面図。
【図５】本発明に係る第２の実施形態の要部展開図。
【図６】本発明に係る他の実施形態を表す斜視図。
【図７】本発明に係る他の実施形態を表す斜視図。
【図８】本発明に係る他の実施形態を表す斜視図。
【図９】図８に示した実施形態のケース部１０の断面図。
【図１０】袋型オブラートの斜視図。
【図１１】従来の袋型オブラートの専用スタンドの斜視図。
【図１２】従来の袋型オブラートの専用スタンドの斜視図。
【符号の説明】
【００２８】
１…袋型オブラート
２，７，９…包装箱
３，８，１０…ケース部
４，１１…蓋部
５…スタンド部
６…スタンド用孔
１２…専用スタンド
１３…仕切り部
１３ａ…ベロ部
【図１】
2004315086.tif 000003
【図２】
2004315086.tif 000004
【図３】
2004315086.tif 000005
【図４】
2004315086.tif 000006
【図５】
2004315086.tif 000007
【図６】
2004315086.tif 000008
【図７】
2004315086.tif 000009
【図８】
2004315086.tif 000010
【図９】
2004315086.tif 000011
【図１０】
2004315086.tif 000012
【図１１】
2004315086.tif 000013
【図１２】
2004315086.tif 000014